(57)【特許請求の範囲】
【請求項１】
ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記２値化信号から前記ウォブル信号の周波数帯域を取り出してウォブル信号成分を抽出する第１帯域フィルタ手段と、
固定の基準値に前記ウォブル信号成分を加算し閾値として前記比較手段に供給する第１加算手段とを
有することを特徴とする光ディスク装置。
【請求項２】
ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記ＲＦ信号から前記ウォブル信号の周波数帯域を取り出してウォブル信号成分を抽出する第２帯域フィルタ手段と、
固定の基準値に前記ウォブル信号成分を加算し閾値として前記比較手段に供給する第２加算手段とを
有することを特徴とする光ディスク装置。
【請求項３】
ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記２値化信号から前記ウォブル信号の周波数帯域を取り出してウォブル信号成分を抽出する第１帯域フィルタ手段と、
前記２値化信号を積分して積分基準値を生成する積分手段と、
前記積分基準値に前記ウォブル信号成分を加算し閾値として前記比較手段に供給する第３加算手段とを
有することを特徴とする光ディスク装置。
【請求項４】
ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記ＲＦ信号から前記ウォブル信号の周波数帯域を取り出してウォブル信号成分を抽出する第２帯域フィルタ手段と、
前記２値化信号を積分して積分基準値を生成する積分手段と、
前記積分基準値に前記ウォブル信号成分を加算し閾値として前記比較手段に供給する第４加算手段とを
有することを特徴とする光ディスク装置。
【請求項５】
ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記２値化信号から前記ウォブル信号の周波数帯域を取り出してウォブル信号成分を抽出する第１帯域フィルタ手段と、
前記２値化信号を積分した積分基準値を閾値として前記比較手段に供給する積分手段と、
前記ＲＦ信号から前記ウォブル信号成分を減算して前記比較手段に供給する減算手段とを
有することを特徴とする光ディスク装置。
【発明の詳細な説明】
【０００１】
【発明の属する技術分野】
本発明は光ディスク装置に関し、特に、光ディスクを再生または記録再生する光ディスク装置に関する。
【０００２】
【従来の技術】
ＣＤ−Ｒ（Ｃｏｍｐａｃｔ  Ｄｉｓｋ−Ｒｅｃｏｒｄａｂｌｅ），ＤＶＤ−Ｒ（Ｄｉｇｉｔａｌ  Ｖｅｒｓａｔｉｌｅ  Ｄｉｓｋ−Ｒｅｃｏｒｄａｂｌｅ）等の追記型光ディスクや、ＣＤ−ＲＷ（ＣＤ−Ｒｅｗｒｉｔａｂｌｅ），ＤＶＤ−ＲＷ（ＤＶＤ−Ｒｅｗｒｉｔａｂｌｅ），ＤＶＤ−ＲＡＭ，ＭＯ（Ｍａｇｎｅｔｏ  Ｏｐｔｉｃａｌ  ｄｉｓｋ）等の書き換え可能型光ディスクには、予めガイド用のグルーブ（溝）が設けられている。これらの光ディスクは、グルーブまたはランド（グルーブとグルーブとの間の部分）をトラックと決定し、このトラックに沿って光ビームを照射することにより、トラック上にピットを形成して情報を記録される。なお、光ビームをトラックに沿って照射するためのトラッキングサーボは光ビームの光軸中心がトラックの中心線上となるように制御する。
【０００３】
グルーブは中心周波数２２．０５ｋＨｚで極僅かにラジアル方向にウォブル（蛇行）しており、ＡＴＩＰ（Ａｂｓｏｌｕｔｅ  Ｔｉｍｅ  Ｉｎ  Ｐｒｅｇｒｏｏｖｅ）と呼ばれる記録時のアドレス情報（即ち時間情報）が、最大偏位±１ｋＨｚでＦＳＫ変調により多重されて記録されている。このウォブル信号は振幅が微小であるのでトラッキングサーボの障害とはならない。また、ウォブル信号周波数もトラッキングサーボの制御周波数帯域外であるため、光ビームの光軸中心は平均的にトラックの中心線上をトレースする。
【０００４】
これにより、光ディスク装置では光ディスクの半径方向に２分割した受光面を持つ光検出器で光ディスクで反射された光ビームを受光し、この２分割した受光面の光電変換信号を差動増幅することにより、ウォブル信号を検出する。そして、ウォブル信号の周波数２２．０５ｋＨｚの搬送波信号を基準としてスピンドルモータを回転駆動し、光ディスクを所定の回転速度で回転させる。更に、上記ウォブル信号を復調してアドレス情報を検出する。
【０００５】
これに対し、再生時には光ビームの光軸中心がトラックの中心線上となるように制御して、光ディスクのトラック上に形成されたピットに光ビームを照射し、光ディスクの半径方向に２分割した受光面を持つ光検出器で光ディスクで反射された光ビームを受光し、この２分割した受光面の光電変換信号を加算することにより、既記録信号を検出する。この加算でウォブル信号成分は相殺される。
【０００６】
図１０は、従来装置の信号再生回路の一例のブロック図を示す。同図中、端子１０には、所定の回転速度で回転駆動される光ディスクに光ピックアップのレーザダイオードから光ビームを照射し、その反射光を光ピックアップの光検出器で検出して得られた再生ＲＦ信号（２分割した受光面の光電変換信号を加算した信号）が入力され、高域フィルタとしてのコンデンサ１１で直流成分を除去されてコンパレータ１２の非反転入力端子に供給される。コンパレータ１２の反転入力端子には基準電圧源１３から固定の基準値が供給されており、コンパレータ１２はＲＦ信号を閾値と比較することにより２値化する。この２値化信号はＰＬＬ（Ｐｈａｓｅ  Ｌｏｃｋｅｄ  Ｌｏｏｐ）及びディテクタ１６に供給される。
【０００７】
ＰＬＬ及びディテクタ１６は、ＰＬＬで供給される２値化信号に同期したクロックＰＣＬＫを生成して端子１８より出力すると共に、ディテクタで上記クロックＰＣＬＫを基準に定められた検出窓で再生パルスの有無を検出することにより信号ＲＥＦＭを弁別再生し端子１９より出力する。
【０００８】
図１１は、従来装置の信号再生回路の他例のブロック図を示す。同図中、端子１０には、所定の回転速度で回転駆動される光ディスクに光ピックアップのレーザダイオードから光ビームを照射し、その反射光を光ピックアップの光検出器で検出して得られた再生ＲＦ信号（２分割した受光面の光電変換信号を加算した信号）が入力され、高域フィルタとしてのコンデンサ１１で直流成分を除去されてコンパレータ１２の非反転入力端子に供給される。コンパレータ１２の反転入力端子には低域フィルタ及びアンプ（ＬＰＦ／ＡＭＰ）１４からＲＦ信号の中点電位に相当する閾値が供給されており、コンパレータ１２はＲＦ信号を閾値と比較することにより２値化する。この２値化信号は低域フィルタ及びアンプ１４とＰＬＬ及びディテクタ１６と供給される。
【０００９】
低域フィルタ及びアンプ１４は２値化信号を積分したのち所定ゲインで増幅することによりＲＦ信号の中点電位に相当する閾値を生成してコンパレータ１２に供給する。コンパレータ１２と低域フィルタ及びアンプ１４はアシンメトリ補正回路を構成しており、２値化信号のハイレベル期間とローレベル期間とが総和として等しくなるように閾値を決定している。このアシンメトリ補正回路の応答特性は低域フィルタ及びアンプ１４の時定数とゲイン、及びＲＦ信号振幅、及びコンパレータ１２の出力電圧を調整して最適化される。
【００１０】
ＰＬＬ及びディテクタ１６は、ＰＬＬで供給される２値化信号に同期したクロックＰＣＬＫを生成して端子１８より出力すると共に、ディテクタで上記クロックＰＣＬＫを基準に定められた検出窓で再生パルスの有無を検出することにより信号ＲＥＦＭを弁別再生し端子１９より出力する。
【００１１】
【発明が解決しようとする課題】
ところで、レーザダイオードから出射される光ビームは、リードパワーとライトパワーとでパワーが異なるために光軸がずれることが起こり得る。図１２に示すように、レーザダイオードから出射されるリードパワー時の光ビームは実線で示ようになり、ライトパワー時の光ビームは破線で示すようになり、角度θだけの光軸のずれが生じる。この光軸のずれ方向がグルーブの幅方向であると、記録時においてもリードパワータイミングでトラッキングエラー信号が生成されるため、ライトパワーで記録されるピットが図１３に示すように、トラックの中心線上からずれてしまう。また、この他にも、例えば、記録が終了した直後の隣接トラックの余熱の影響などによって、ピットがトラックの中心線上からずれてしまう場合もある。
【００１２】
グルーブをトラックとした場合に、記録時にグルーブ中心からずれて光ビームが照射されると、グルーブにはウォブルが施されているのでウォブルにより光ビームがグルーブの中心近くにくる場合と、グルーブの中心から大きくはずれる場合とがウォブル周期で発生する。光ビームがグルーブの中心近くに照射されると記録は通常通りであるが、グルーブの中心から大きくはずれて照射されるとグルーブの端部の影響を受けて記録が不十分になってしまう。これにより、ピットはウォブル周期で影響を受けることになる。
【００１３】
再生時はピットとグルーブとからトラッキングエラー信号が生成され、光ビームはほぼピットの中心付近を通るが、記録時の影響により再生ＲＦ信号にはウォブル周波数の振幅変動や波形歪みが生じる。この影響は記録信号の周期が短いほど大きく、ＣＤでは３Ｔ（基準時間幅Ｔは標準速度、つまり１倍速にて周波数４．３２ＭＨｚの１周期で約２３０ｎｓｅｃ）の信号が最も影響を受ける。この場合に再生ＲＦ信号は図１４に示すようになる。
【００１４】
図１０のコンパレータ１２に供給されるＲＦ信号のエンベロープがウォブル信号成分のために上下に変動すると、コンパレータ１２における２値化時に再生ジッタが発生し、コンパレータ１２の出力する２値化信号はウォブル信号成分を含んだものとなるという問題があった。
【００１５】
また、図１１に示す従来回路のアシンメトリ補正回路１５では、光ディスク表面の傷、汚れ、反射率むらに追随して正確にＲＦ信号を２値化するため、応答時定数をＥＦＭ周波数成分と干渉しない程度の範囲で充分高く設定しているものの、ウォブル信号成分はＥＦＭ周波数成分と周波数帯域が一部重なるため、低域フィルタ及びアンプ１４で抽出されず、コンパレータ１２に供給されるＲＦ信号に含まれる上記ウォブル信号成分成分にアシンメトリ補正回路１５が応答して、コンパレータ１２に供給される閾値はウォブル信号成分に応答して変動し、この閾値の変動によって再生ジッタが劣化するという問題があった。
【００１６】
本発明は、上記の点に鑑みなされたもので、再生ＲＦ信号に重畳されたウォブル信号成分に起因する再生ジッタを低減することができる光ディスク装置を提供することを目的とする。
【００１７】
【課題を解決するための手段】
請求項１に記載の発明は、ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記２値化信号から前記ウォブル信号の周波数帯域を取り出してウォブル信号成分を抽出する第１帯域フィルタ手段と、
固定の基準値に前記ウォブル信号成分を加算し閾値として前記比較手段に供給する第１加算手段とを有するため、
ＲＦ信号に重畳されたウォブル信号成分と閾値のウォブル信号成分とが相殺され、２値化時における再生ジッタの発生を低減できる。
【００１８】
請求項２に記載の発明は、ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記ＲＦ信号から前記ウォブル信号の周波数帯域を取り出してウォブル信号成分を抽出する第２帯域フィルタ手段と、
固定の基準値に前記ウォブル信号成分を加算し閾値として前記比較手段に供給する第２加算手段とを有するため、
ＲＦ信号に重畳されたウォブル信号成分と閾値のウォブル信号成分とが相殺され、２値化時における再生ジッタの発生を低減できる。
【００１９】
請求項３に記載の発明は、ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記２値化信号から前記ウォブル信号の周波数帯域を取り出してウォブル信号成分を抽出する第１帯域フィルタ手段と、
前記２値化信号を積分して積分基準値を生成する積分手段と、
前記積分基準値に前記ウォブル信号成分を加算し閾値として前記比較手段に供給する第３加算手段とを有するため、
ＲＦ信号に重畳されたウォブル信号成分と閾値のウォブル信号成分とが相殺され、２値化時における再生ジッタの発生を低減できる。
【００２０】
請求項４に記載の発明は、ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記ＲＦ信号から前記ウォブル信号の周波数帯域を取り出してウォブル信号成分を抽出する第２帯域フィルタ手段と、
前記２値化信号を積分して積分基準値を生成する積分手段と、
前記積分基準値に前記ウォブル信号成分を加算し閾値として前記比較手段に供給する第４加算手段とを有するため、
ＲＦ信号に重畳されたウォブル信号成分と閾値のウォブル信号成分とが相殺され、２値化時における再生ジッタの発生を低減できる。
【００２１】
請求項５に記載の発明は、ウォブル信号が記録された光ディスクのグルーブを基準にトラックを決定し前記トラック上にピットを形成して情報が記録された光ディスクに、光ビームを照射して反射光を検出することによりＲＦ信号を再生する光ディスク装置において、
前記ＲＦ信号を閾値と比較して２値化信号を出力する比較手段と、
前記２値化信号から前記ウォブル信号の周波数帯域を取り出してウォブル信号成分を抽出する第１帯域フィルタ手段と、
前記２値化信号を積分した積分基準値を閾値として前記比較手段に供給する積分手段と、
前記ＲＦ信号から前記ウォブル信号成分を減算して前記比較手段に供給する減算手段とを有するため、
ＲＦ信号に重畳されたウォブル信号成分が除去されて２値化され、２値化時における再生ジッタの発生を低減できる。
【００２２】
【発明の実施の形態】
図１は、本発明の光ディスク装置の一実施例のブロック図を示す。同図中、スピンドルモータ３０は光ディスク３２を所定の回転速度で回転駆動する。スレッドモータ３４は光ピックアップ３６をディスク半径方向に移動させる。光ピックアップ３６は光学系対物レンズ、アクチュエータ、１／４波長板、コリメータレンズ、ビームスプリッタ、発光素子（レーザダイオード）、光検出器等から構成されている。
【００２３】
レーザドライバ３８はレーザダイオードを発光させ、レーザビームを出力させる。フロントモニタ４０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）４２はフロントモニタ４０の出力に基づいてレーザビームのパワーが最適となるようにレーザドライバを制御する。
【００２４】
パワード制御回路４３は、光ディスク３２からの反射光量（戻り光量）レベルと基準レベルとを比較して、その比較結果に応じて記録用レーザパワーの記録パワーに重畳するパワードパワーのパルス幅の制御を行う。
【００２５】
ウォブル信号処理部４４はＡＴＩＰ信号の復調処理を行う。なお、記録型の光ディスクにはガイド用のグルーブが設けられている。信号再生回路４６は再生信号を増幅し、かつ、再生する。この信号再生回路４６は、マトリクスアンプを含むものであり、主信号の他に各種サーボ信号を取り出して各サーボ回路に出力する。フォーカス／トラッキングサーボ回路４８はアクチュエータを駆動し、フォーカスサーボ及びトラッキングサーボの制御を行う。送りサーボ回路５０はスレッドモータ３４を駆動制御する。スピンドルサーボ回路５２はスピンドルモータ３０を駆動制御する。
【００２６】
ＣＤエンコード／デコード回路５４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路５６はＣＤエンコード／デコード回路５４から送られてくる記録データに対し、メディアの記録時の特性に合わせたデータ補正処理を行う。このときの補正量は記録層の特性、記録レーザビームのプロファイル、記録を行う線速度等により変化する。
【００２７】
ＣＤ−ＲＯＭエンコード/ デコード回路５８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラ６０はホストコンピュータとの間のデータの送受、及びデータバッファの制御を行う。ＲＡＭ５９，６１はデータ処理を行うためにデータを一時格納するための補助メモリである。
【００２８】
ＣＰＵ６２はメカ動作を含むＣＤ−Ｒドライブ全体の制御を司るマイクロコンピュータである。Ｄ／Ａコンバータ６６はＣＤエンコード／デコード回路５８から送出されるオーディオデータをアナログ信号に変換する。オーディオアンプ６８はアナログ変換されたオーディオ信号を増幅して出力する。
【００２９】
図２は、信号再生回路４６の主要部の第１実施例のブロック図を示す。同図中、端子７０には、所定の回転速度で回転駆動される光ディスクに光ピックアップのレーザダイオードから光ビームを照射し、その反射光を光ピックアップの光検出器で検出して得られた再生ＲＦ信号（２分割した受光面の光電変換信号を加算した信号）が入力され、高域フィルタとしてのコンデンサ７１で直流成分を除去されてコンパレータ７２の非反転入力端子に供給される。
【００３０】
コンパレータ７２の反転入力端子には加算回路７４から閾値Ｖｒｅｆ２が供給されており、コンパレータ７２はＲＦ信号を閾値Ｖｒｅｆ２と比較することにより２値化する。この２値化信号は帯域フィルタ及びアンプ（ＢＰＦ／ＡＭＰ）７５に供給されると共に、ＰＬＬ及びディテクタ７６に供給される。
【００３１】
ここで、ピットが図１３に示すようにトラックの中心線上からずれて記録された光ディスクを再生した場合、再生ＲＦ信号にウォブル信号成分が重畳され、再生ＲＦ信号のエンベロープが図３に示すように上下変動する。このときの再生ＲＦ信号の周波数スペクトラムは図４に示すようになり、一点鎖線で示す記録情報の信号成分（大部分が周波数１００ｋＨｚ〜１ＭＨｚ）が減衰する低周波数帯域に、実線で示す中心周波数２２．０５ｋＨｚのウォブル信号成分が重畳されている。
【００３２】
帯域フィルタ及びアンプ７５は２値化信号から上記の中心周波数２２．０５ｋＨｚのウォブル信号成分を抽出及び増幅して加算回路７４に供給する。加算回路７４には基準電圧源７３からＲＦ信号の中点電位に相当する固定の基準値Ｖｒｅｆ１（図３に一点鎖線Iで示す）が供給されており、この固定の基準値にウォブル信号成分を加算した値が新たな閾値Ｖｒｅｆ２（図３に実線IIで示す）としてコンパレータ７２の反転入力端子に供給される。これにより、ＲＦ信号に重畳されたウォブル信号成分と閾値Ｖｒｅｆ２のウォブル信号成分とが相殺され、コンパレータ７２における再生ジッタの発生を低減できる。
【００３３】
ＰＬＬ及びディテクタ７６は、ＰＬＬでコンパレータ７２から供給される２値化信号に同期したクロックＰＣＬＫを生成して端子７８より出力すると共に、ディテクタで上記クロックＰＣＬＫを基準に定められた検出窓で再生パルスの有無を検出することにより信号ＲＥＦＭを弁別再生する。この信号ＲＥＦＭは端子７９から出力される。
【００３４】
図５は、信号再生回路４６の主要部の第２実施例のブロック図を示す。同図中、図２と同一部分には同一符号を付す。図５において、端子７０には、再生ＲＦ信号（２分割した受光面の光電変換信号を加算した信号）が入力され、高域フィルタとしてのコンデンサ７１で直流成分を除去されてコンパレータ７２の非反転入力端子に供給される。これと共に、端子７０に入力された再生ＲＦ信号を帯域フィルタ及びアンプ（ＢＰＦ／ＡＭＰ）８２に供給する。
【００３５】
コンパレータ７２の反転入力端子には加算回路８４から閾値Ｖｒｅｆ２が供給されており、コンパレータ７２はＲＦ信号を閾値Ｖｒｅｆ２と比較することにより２値化する。この２値化信号はＰＬＬ及びディテクタ７６に供給される。
【００３６】
ここで、ピットが図１３に示すようにトラックの中心線上からずれて記録された光ディスクを再生した場合、再生ＲＦ信号にウォブル信号成分が重畳され、再生ＲＦ信号のエンベロープが図３に示すように上下変動する。このときの再生ＲＦ信号の周波数スペクトラムは図４に示すようになり、一点鎖線で示す記録情報の信号成分（大部分が周波数１００ｋＨｚ〜１ＭＨｚ）が減衰する低周波数帯域に、実線で示す中心周波数２２．０５ｋＨｚのウォブル信号成分が重畳されている。
【００３７】
帯域フィルタ及びアンプ８２はＲＦ信号から上記の中心周波数２２．０５ｋＨｚのウォブル信号成分を抽出及び増幅して加算回路８４に供給する。加算回路８４には基準電圧源７３からＲＦ信号の中点電位に相当する固定の基準値Ｖｒｅｆ１（図３に一点鎖線Iで示す）が供給されており、この固定の基準値にウォブル信号成分を加算した値が新たな閾値Ｖｒｅｆ２（図３に実線IIで示す）としてコンパレータ７２の反転入力端子に供給される。
【００３８】
コンパレータ７２はＲＦ信号を閾値Ｖｒｅｆ２と比較することにより２値化する。これにより、ＲＦ信号に重畳されたウォブル信号成分と閾値Ｖｒｅｆ２のウォブル信号成分とが相殺され、コンパレータ７２における再生ジッタの発生を低減できる。
【００３９】
ＰＬＬ及びディテクタ７６は、ＰＬＬでコンパレータ７２から供給される２値化信号に同期したクロックＰＣＬＫを生成して端子７８より出力すると共に、ディテクタで上記クロックＰＣＬＫを基準に定められた検出窓で再生パルスの有無を検出することにより信号ＲＥＦＭを弁別再生する。この信号ＲＥＦＭは端子７９から出力される。
【００４０】
ＰＬＬ及びディテクタ７６は、ＰＬＬでコンパレータ７２から供給される２値化信号に同期したクロックＰＣＬＫを生成して端子７８より出力すると共に、ディテクタで上記クロックＰＣＬＫを基準に定められた検出窓で再生パルスの有無を検出することにより信号ＲＥＦＭを弁別再生する。この信号ＲＥＦＭは端子７９から出力される。
【００４１】
図６は、信号再生回路４６の主要部の第３実施例のブロック図を示す。同図中、図２と同一部分には同一符号を付す。図６において、端子７０には、再生ＲＦ信号（２分割した受光面の光電変換信号を加算した信号）が入力され、高域フィルタとしてのコンデンサ７１で直流成分を除去されてコンパレータ７２の非反転入力端子に供給される。
【００４２】
コンパレータ７２の反転入力端子には加算回路８６から閾値Ｖｒｅｆ２が供給されており、コンパレータ７２はＲＦ信号を閾値Ｖｒｅｆ２と比較することにより２値化する。この２値化信号は帯域フィルタ及びアンプ７５及び低域フィルタ及びアンプ（ＬＰＦ／ＡＭＰ）８８に供給されると共に、ＰＬＬ及びディテクタ７６に供給される。
【００４３】
ここで、ピットが図１３に示すようにトラックの中心線上からずれて記録された光ディスクを再生した場合、再生ＲＦ信号にウォブル信号成分が重畳され、再生ＲＦ信号のエンベロープが図３に示すように上下変動する。このときの再生ＲＦ信号の周波数スペクトラムは図４に示すようになり、一点鎖線で示す記録情報の信号成分（大部分が周波数１００ｋＨｚ〜１ＭＨｚ）が減衰する低周波数帯域に、実線で示す中心周波数２２．０５ｋＨｚのウォブル信号成分が重畳されている。
【００４４】
帯域フィルタ及びアンプ７５は２値化信号から上記の中心周波数２２．０５ｋＨｚのウォブル信号成分を抽出及び増幅して加算回路８６に供給する。低域フィルタ及びアンプ８８は２値化信号を積分したのち所定ゲインで増幅することにより、ＲＦ信号の中点電位に相当する閾値（積分基準値）を生成して加算回路８６に供給する。
【００４５】
コンパレータ７２と低域フィルタ及びアンプ８８はアシンメトリ補正回路を構成しており、２値化信号のハイレベル期間とローレベル期間とが総和として等しくなるように閾値を決定している。このアシンメトリ補正回路の応答特性は低域フィルタ及びアンプ８８の時定数とゲイン、及びＲＦ信号振幅、及びコンパレータ７２の出力電圧を調整して最適化されるが、低域フィルタ及びアンプ８８のカットオフ周波数は例えば５００Ｈｚ程度とされており、図４に破線で示すようにＥＦＭ周波数成分と干渉しないよう設定されている。
【００４６】
加算回路７４は、ＲＦ信号の中点電位に相当する閾値にウォブル信号成分を加算し、新たな閾値Ｖｒｅｆ２（図３に実線IIで示す）としてコンパレータ７２の反転入力端子に供給する。これにより、ＲＦ信号に重畳されたウォブル信号成分と閾値Ｖｒｅｆ２のウォブル信号成分とが相殺され、コンパレータ７２における再生ジッタの発生を低減できる。
【００４７】
図７は、信号再生回路４６の主要部の第４実施例のブロック図を示す。同図中、図２，図５と同一部分には同一符号を付す。図６において、端子７０には、再生ＲＦ信号（２分割した受光面の光電変換信号を加算した信号）が入力され、高域フィルタとしてのコンデンサ７１で直流成分を除去されてコンパレータ７２の非反転入力端子に供給される。これと共に、端子７０に入力された再生ＲＦ信号は帯域フィルタ及びアンプ（ＢＰＦ／ＡＭＰ）８２に供給される。
【００４８】
コンパレータ７２の反転入力端子には加算回路８７から閾値Ｖｒｅｆ２が供給されており、コンパレータ７２はＲＦ信号を閾値Ｖｒｅｆ２と比較することにより２値化する。この２値化信号は帯域フィルタ及びアンプ７５に供給されると共に、ＰＬＬ及びディテクタ７６に供給される。
【００４９】
ここで、ピットが図１３に示すようにトラックの中心線上からずれて記録された光ディスクを再生した場合、再生ＲＦ信号にウォブル信号成分が重畳され、再生ＲＦ信号のエンベロープが図３に示すように上下変動する。このときの再生ＲＦ信号の周波数スペクトラムは図４に示すようになり、一点鎖線で示す記録情報の信号成分（大部分が周波数１００ｋＨｚ〜１ＭＨｚ）が減衰する低周波数帯域に、実線で示す中心周波数２２．０５ｋＨｚのウォブル信号成分が重畳されている。帯域フィルタ及びアンプ８２は上記の中心周波数２２．０５ｋＨｚのウォブル信号成分を抽出及び増幅して加算回路８７に供給する。
【００５０】
帯域フィルタ及びアンプ７５はコンパレータ７２の出力する２値化信号から上記の中心周波数２２．０５ｋＨｚのウォブル信号成分を抽出及び増幅して加算回路８７に供給する。低域フィルタ及びアンプ８８は２値化信号を積分したのち所定ゲインで増幅することにより、ＲＦ信号の中点電位に相当する閾値を生成して加算回路８７に供給する。
【００５１】
コンパレータ７２と低域フィルタ及びアンプ８８はアシンメトリ補正回路を構成しており、２値化信号のハイレベル期間とローレベル期間とが総和として等しくなるように閾値を決定している。このアシンメトリ補正回路の応答特性は低域フィルタ及びアンプ８８の時定数とゲイン、及びＲＦ信号振幅、及びコンパレータ７２の出力電圧を調整して最適化されるが、低域フィルタ及びアンプ８８のカットオフ周波数は例えば５００Ｈｚ程度とされており、図４に破線で示すようにＥＦＭ周波数成分と干渉しないよう設定されている。
【００５２】
加算回路８７は、ＲＦ信号の中点電位に相当する閾値にウォブル信号成分を加算し、新たな閾値Ｖｒｅｆ２（図３に実線IIで示す）としてコンパレータ７２の反転入力端子に供給する。これにより、ＲＦ信号に重畳されたウォブル信号成分と閾値Ｖｒｅｆ２のウォブル信号成分とが相殺され、コンパレータ７２における再生ジッタの発生を低減できる。
【００５３】
ＰＬＬ及びディテクタ７６は、ＰＬＬでコンパレータ７２から供給される２値化信号に同期したクロックＰＣＬＫを生成して端子７８より出力すると共に、ディテクタで上記クロックＰＣＬＫを基準に定められた検出窓で再生パルスの有無を検出することにより信号ＲＥＦＭを弁別再生する。この信号ＲＥＦＭは端子７９から出力される。
【００５４】
図８は、信号再生回路４６の主要部の第５実施例のブロック図を示す。同図中、図６と同一部分には同一符号を付す。図６において、端子７０には、再生ＲＦ信号（２分割した受光面の光電変換信号を加算した信号）が入力され減算回路９０に供給される。減算回路９０の出力する信号は高域フィルタとしてのコンデンサ７１で直流成分を除去された後、コンパレータ７２の非反転入力端子に供給される。
【００５５】
コンパレータ７２の反転入力端子には低域フィルタ及びアンプ８８から閾値Ｖｒｅｆ３が供給されており、コンパレータ７２はＲＦ信号を閾値Ｖｒｅｆ３と比較することにより２値化する。この２値化信号は帯域フィルタ及びアンプ７５及び低域フィルタ及びアンプ（ＬＰＦ／ＡＭＰ）８８に供給されると共に、ＰＬＬ及びディテクタ７６に供給される。低域フィルタ及びアンプ８８は２値化信号を積分したのち所定ゲインで増幅することにより、ＲＦ信号の中点電位に相当する閾値（積分基準値）を生成してコンパレータ７２の反転入力端子に供給する。
【００５６】
コンパレータ７２と低域フィルタ及びアンプ８８はアシンメトリ補正回路を構成しており、２値化信号のハイレベル期間とローレベル期間とが総和として等しくなるように閾値を決定している。このアシンメトリ補正回路の応答特性は低域フィルタ及びアンプ８８の時定数とゲイン、及びＲＦ信号振幅、及びコンパレータ７２の出力電圧を調整して最適化されるが、低域フィルタ及びアンプ８８のカットオフ周波数は例えば５００Ｈｚ程度とされており、図４に破線で示すようにＥＦＭ周波数成分と干渉しないよう設定されている。
【００５７】
ここで、ピットが図１３に示すようにトラックの中心線上からずれて記録された光ディスクを再生した場合、再生ＲＦ信号にウォブル信号成分が重畳され、再生ＲＦ信号のエンベロープが図３に示すように上下変動する。このときの再生ＲＦ信号の周波数スペクトラムは図４に示すようになり、一点鎖線で示す記録情報の信号成分（大部分が周波数１００ｋＨｚ〜１ＭＨｚ）が減衰する低周波数帯域に、実線で示す中心周波数２２．０５ｋＨｚのウォブル信号成分が重畳されている。
【００５８】
帯域フィルタ及びアンプ７５は２値化信号から上記の中心周波数２２．０５ｋＨｚのウォブル信号成分を抽出及び増幅して減算回路９０に供給する。減算回路９０は、ウォブル信号成分が重畳された再生ＲＦ信号からウォブル信号成分を減算する。これにより、ＲＦ信号に重畳されたウォブル信号成分が除去され、図９に示すように、ＲＦ信号のエンベロープの上下変動がなくなる。このため、コンパレータ７２における再生ジッタの発生を低減できる。
【００５９】
なお、上記実施例では記録再生を行う光ディスク装置を例にとって説明したが、他の記録再生を行う光ディスク装置で記録された光ディスクの再生だけを行う装置に適用しても良く上記実施例に限定されない。また、上記実施例ではコンデンサ２１を用いて再生ＲＦ信号の直流成分を除去しているが、コンデンサ２１の代わりに高域フィルタを用いても良い。また、アシンメトリ補正回路を持つ回路構成では、コンデンサ２１は原理的には必要ないが、コンデンサ２１があれば事前に低域成分のほとんどがカットされ、アシンメトリ補正回路通過後の直流成分残留誤差をより低減できる。
【００６０】
なお、コンパレータ７２が請求項記載の比較手段に対応し、帯域フィルタ及びアンプ７５が第１帯域フィルタ手段に対応し、帯域フィルタ及びアンプ８２が第２帯域フィルタ手段に対応し、加算回路７４が第１加算手段に対応し、加算回路８４が第２加算手段に対応し、低域フィルタ及びアンプ８８が積分手段に対応し、加算回路８６が第３加算手段に対応し、加算回路８７が第４加算手段に対応し、減算回路９０が減算手段に対応する。
【００６１】
【発明の効果】
上述の如く、請求項１に記載の発明は、ＲＦ信号を閾値と比較して２値化信号を出力する比較手段と、
前記２値化信号から前記ウォブル信号の周波数帯域を取り出してウォブル信号成分を抽出する第１帯域フィルタ手段と、
固定の基準値に前記ウォブル信号成分を加算し閾値として前記比較手段に供給する第１加算手段とを有するため、
ＲＦ信号に重畳されたウォブル信号成分と閾値のウォブル信号成分とが相殺され、２値化時における再生ジッタの発生を低減できる。
【００６２】
請求項２に記載の発明は、ＲＦ信号を閾値と比較して２値化信号を出力する比較手段と、
前記ＲＦ信号から前記ウォブル信号の周波数帯域を取り出してウォブル信号成分を抽出する第２帯域フィルタ手段と、
固定の基準値に前記ウォブル信号成分を加算し閾値として前記比較手段に供給する第２加算手段とを有するため、
ＲＦ信号に重畳されたウォブル信号成分と閾値のウォブル信号成分とが相殺され、２値化時における再生ジッタの発生を低減できる。
【００６３】
請求項３に記載の発明は、ＲＦ信号を閾値と比較して２値化信号を出力する比較手段と、
前記２値化信号から前記ウォブル信号の周波数帯域を取り出してウォブル信号成分を抽出する第１帯域フィルタ手段と、
前記２値化信号を積分して積分基準値を生成する積分手段と、
前記積分基準値に前記ウォブル信号成分を加算し閾値として前記比較手段に供給する第３加算手段とを有するため、
ＲＦ信号に重畳されたウォブル信号成分と閾値のウォブル信号成分とが相殺され、２値化時における再生ジッタの発生を低減できる。
【００６４】
請求項４に記載の発明は、ＲＦ信号を閾値と比較して２値化信号を出力する比較手段と、
前記ＲＦ信号から前記ウォブル信号の周波数帯域を取り出してウォブル信号成分を抽出する第２帯域フィルタ手段と、
前記２値化信号を積分して積分基準値を生成する積分手段と、
前記積分基準値に前記ウォブル信号成分を加算し閾値として前記比較手段に供給する第４加算手段とを有するため、
ＲＦ信号に重畳されたウォブル信号成分と閾値のウォブル信号成分とが相殺され、２値化時における再生ジッタの発生を低減できる。
【００６５】
請求項５に記載の発明は、ＲＦ信号を閾値と比較して２値化信号を出力する比較手段と、
前記２値化信号から前記ウォブル信号の周波数帯域を取り出してウォブル信号成分を抽出する第１帯域フィルタ手段と、
前記２値化信号を積分した積分基準値を閾値として前記比較手段に供給する積分手段と、
前記ＲＦ信号から前記ウォブル信号成分を減算して前記比較手段に供給する減算手段とを有するため、
ＲＦ信号に重畳されたウォブル信号成分が除去されて２値化され、２値化時における再生ジッタの発生を低減できる。
【図面の簡単な説明】
【図１】本発明の光ディスク装置の一実施例のブロック図である。
【図２】信号再生回路４６の主要部の第１実施例のブロック図である。
【図３】ウォブル信号成分が重畳された再生ＲＦ信号の波形図である。
【図４】再生ＲＦ信号の周波数スペクトラムである。
【図５】信号再生回路４６の主要部の第２実施例のブロック図である。
【図６】信号再生回路４６の主要部の第３実施例のブロック図である。
【図７】信号再生回路４６の主要部の第４実施例のブロック図である。
【図８】信号再生回路４６の主要部の第５実施例のブロック図である。
【図９】エンベロープの上下変動がないＲＦ信号の波形図である。
【図１０】従来装置の信号再生回路の一例のブロック図である。
【図１１】従来装置の信号再生回路の他例のブロック図である。
【図１２】レーザダイオードから出射される光ビームの光軸のずれを説明するための図である。
【図１３】トラックの中心線上からずれて記録されたピットを示す図である。
【図１４】ウォブル信号成分が重畳された再生ＲＦ信号の波形図である。
【符号の説明】
３０  スピンドルモータ
３２  光ディスク
３４  スレッドモータ
３６  光ピックアップ
３８  レーザドライバ
４０  フロントモニタ
４２  ＡＬＰＣ
４３  パワード制御回路
４４  ウォブル信号処理部
４６  信号再生回路
４８  フォーカス／トラッキングサーボ回路
５０  送りサーボ回路
５２  スピンドルサーボ回路
５４  ＣＤエンコード／デコード回路
５６  記録補償回路
５８  ＣＤ−ＲＯＭエンコード/ デコード回路
６０  インタフェース／バッファコントローラ
６２  ＣＰＵ
６６  Ｄ／Ａコンバータ
６８  オーディオアンプ
７１  コンデンサ
７２  コンパレータ
７３  基準電圧源
７４，８４，８６，８７  加算回路
７５  帯域フィルタ及びアンプ
７６  ＰＬＬ及びディテクタ
８２  帯域フィルタ及びアンプ
８８  低域フィルタ及びアンプ
９０  減算回路
【図１】
0003671838.tif 000002
【図２】
0003671838.tif 000003
【図３】
0003671838.tif 000004
【図４】
0003671838.tif 000005
【図５】
0003671838.tif 000006
【図６】
0003671838.tif 000007
【図７】
0003671838.tif 000008
【図８】
0003671838.tif 000009
【図９】
0003671838.tif 000010
【図１０】
0003671838.tif 000011
【図１１】
0003671838.tif 000012
【図１２】
0003671838.tif 000013
【図１３】
0003671838.tif 000014
【図１４】
0003671838.tif 000015